(57)【要約】【課題】ヒートポンプユニットと貯湯タンクユニットを接続する配管の長さが所定の長さ以上であっても、確実に湯を生成することができるヒートポンプ給湯装置を提供すること。【解決手段】本発明のヒートポンプ給湯装置は、ヒートポンプ回路を内部に有したヒートポンプユニットと、ヒートポンプユニットで沸き上げたお湯を貯める貯湯タンクを内部に有する貯湯タンクユニットと、貯湯タンク内の湯水を給湯用熱交換器へ送る流体循環ポンプと、貯湯タンクに貯湯する流量を検出する流量センサとを備え、流体循環ポンプの回転数と流量センサにより検出された流量により、ヒートポンプユニットと貯湯タンクユニットとを接続する配管の長さを判定する自動判定手段を有し、自動判定手段により配管の長さが所定の長さ以上であると判定した場合は、流体循環ポンプの回転数を一定の割合で増加させること。【選択図】図２
2011075200.tif 000002
【特許請求の範囲】
【請求項１】
圧縮機、給湯用熱交換器、膨張弁、蒸発器を冷媒配管で接続したヒートポンプ回路を内部に有したヒートポンプユニットと、前記ヒートポンプユニットで沸き上げたお湯を貯める貯湯タンクを内部に有する貯湯タンクユニットと、前記貯湯タンク内の湯水を前記給湯用熱交換器へ送る流体循環ポンプと、前記貯湯タンクに貯湯する流量を検出する流量センサとを備え、前記流体循環ポンプの回転数と前記流量センサにより検出された流量により、前記ヒートポンプユニットと前記貯湯タンクユニットとを接続する配管の長さを判定する自動判定手段を有し、前記自動判定手段により配管の長さが所定の長さ以上であると判定した場合は、前記流体循環ポンプの回転数を一定の割合で増加させることを特徴とするヒートポンプ給湯装置。
【発明の詳細な説明】
【技術分野】
【０００１】
本発明は、ヒートポンプ給湯装置に関し、特に、貯湯タンク内の湯水をヒートポンプユニットへ送る流体循環ポンプの運転制御に関する。
【背景技術】
【０００２】
従来のヒートポンプ給湯装置には、ヒートポンプ給湯装置の設置状況（ヒートポンプユニットと貯湯タンクユニットとを接続する配管長）に応じて、流体循環ポンプの回転数を決定する配管長設定手段を有しておらず、設置状況によっては配管長が所定の長さ以上で設置された場合であっても、予め設定された固定流量でしか運転されなかった（例えば、特許文献１参照）。
【先行技術文献】
【特許文献】
【０００３】
【特許文献１】特開２００５−１４０４３９号公報
【発明の概要】
【発明が解決しようとする課題】
【０００４】
しかしながら、前記従来の構成では、設置状況によっては、ヒートポンプユニットと貯湯タンクユニットとの設置距離が離れてしまい、それぞれのユニットを接続する配管の長さが所定の長さ以上になってしまうことがある。その結果、流体循環ポンプの流量を予め設定された流量で運転した場合には、送る流量が予想していた流量よりも低くなってしまい、製品として動作停止してしまうという課題があった。
【０００５】
本発明は、上記従来の課題を解決するもので、ヒートポンプユニットと貯湯タンクユニットを接続する配管の長さが所定の長さ以上であっても、確実に湯を生成することができるヒートポンプ給湯装置を提供することを目的とする。
【課題を解決するための手段】
【０００６】
前記従来の課題を解決するために、本発明のヒートポンプ給湯装置は、圧縮機、給湯用熱交換器、膨張弁、蒸発器を冷媒配管で接続したヒートポンプ回路を内部に有したヒートポンプユニットと、ヒートポンプユニットで沸き上げたお湯を貯める貯湯タンクを内部に有する貯湯タンクユニットと、貯湯タンク内の湯水を給湯用熱交換器へ送る流体循環ポンプと、貯湯タンクに貯湯する流量を検出する流量センサとを備え、流体循環ポンプの回転数と流量センサにより検出された流量により、ヒートポンプユニットと貯湯タンクユニットとを接続する配管の長さを判定する自動判定手段を有し、自動判定手段により配管の長さが所定の長さ以上であると判定した場合は、流体循環ポンプの回転数を一定の割合で増加させることを特徴とするものである。
【０００７】
これによって、ヒートポンプユニットと貯湯タンクユニットとを接続する配管の長さが、所定の長さ以上で設置された場合であっても、所定の長さ以下で流体循環ポンプを運転させる固定流量を一定の割合で増加させて流体循環ポンプを運転することができ、製品として動作停止などを防止することができる。
【発明の効果】
【０００８】
本発明は、ヒートポンプユニットと貯湯タンクユニットを接続する配管の長さが所定の長さ以上であっても、確実に湯を生成することができるヒートポンプ給湯装置を提供することができる。
【図面の簡単な説明】
【０００９】
【図１】本発明の実施の形態１におけるヒートポンプ給湯装置の構成図
【図２】同実施の形態１における流体循環ポンプの流量決定チャート
【発明を実施するための形態】
【００１０】
第１の発明のヒートポンプ給湯装置は、圧縮機、給湯用熱交換器、膨張弁、蒸発器を冷媒配管で接続したヒートポンプ回路を内部に有したヒートポンプユニットと、ヒートポンプユニットで沸き上げたお湯を貯める貯湯タンクを内部に有する貯湯タンクユニットと、貯湯タンク内の湯水を給湯用熱交換器へ送る流体循環ポンプと、貯湯タンクに貯湯する流量を検出する流量センサとを備え、流体循環ポンプの回転数と流量センサにより検出された流量により、ヒートポンプユニットと貯湯タンクユニットとを接続する配管の長さを判定する自動判定手段を有し、自動判定手段により配管の長さが所定の長さ以上であると判定した場合は、流体循環ポンプの回転数を一定の割合で増加させることを特徴とするものである。
【００１１】
これによって、ヒートポンプユニットと貯湯タンクユニットとを接続する配管の長さが、所定の長さ以上で設置された場合であっても、所定の長さ以下で流体循環ポンプを運転させる固定流量を一定の割合で増加させて流体循環ポンプを運転することができ、製品として動作停止などを防止することができる。
【００１２】
以下、本発明の実施の形態について、図面を参照しながら説明する。なお、この実施の形態によって本発明が限定されるものではない。
【００１３】
（実施の形態１）
図１は、本発明の第１の実施の形態におけるヒートポンプ給湯装置の回路構成図である。まず、本実施の形態によるヒートポンプ給湯装置のヒートポンプ回路について説明する。
【００１４】
ヒートポンプ回路１０は、圧縮機１１、給湯用熱交換器１２、メイン膨張弁１３Ａ、キャピラリーチューブ１３Ｂ、及び蒸発器１４を順に配管で接続して構成されている。また蒸発器１４に空気を送る送風機１５が蒸発器１４の風下側に設置されている。ヒートポンプ回路１０には、圧縮機１１の温度を検出する温度センサ１０Ａ、圧縮機１１からの吐出冷媒温度を検出する温度センサ１０Ｂ、圧縮機１１からの吐出冷媒圧力を検出する圧力センサ１０Ｃ、蒸発器１４の吸入空気を検出する温度センサ１０Ｄ、蒸発器１４の蒸発器温度を検出する温度センサ１０Ｅを備えている。ここで、温度センサ１０Ａはコールドスタートの検出を、圧力センサ１０Ｃは圧縮機１１又はヒートポンプ回路１０の異常検出を行う。
【００１５】
次に、本実施の形態によるヒートポンプ給湯装置の貯湯回路について説明する。
【００１６】
貯湯タンク２０の底部配管２１は、減圧弁３１を介して水道管等の水供給配管３２に接続されている。また貯湯タンク２０の底部配管２２は、流体循環ポンプ２３を介して給湯用熱交換器１２の水用配管１２Ａの流入側と接続されており、流体循環ポンプ２３の流量は、自動配管長判定手段２６の設定により制御される。また、貯湯タンク２０の上部循環用配管２４は、水用配管１２Ａの流出側と接続されており、流量を検出する流量センサ２５も接続されている。なお、本実施の形態による貯湯タンク２０は、積層式の貯湯タンクであり、タンク内での撹拌が防止され、上部に高温水が底部に低温水が蓄積されるように構成されている。
【００１７】
一方、貯湯タンク２０の上部出湯用配管３３は、混合弁３４に接続されている。また、貯湯タンク２０の底部配管２１から分岐させた出水用配管３５は、混合弁３４に接続されている。混合弁３４の流出側の出湯回路は、キッチン、又は洗面所等の給湯用の蛇口３６に接続されている。この出湯回路には、出湯量を検出する流量センサ３０Ａ、出湯温度を検出する温度センサ３０Ｂを備えている。
【００１８】
なお、貯湯タンク２０には、貯湯タンク２０内の湯量を検出するための複数の温度センサ２０Ａ、２０Ｂ、２０Ｃが設けられている。また、水用配管１２Ａの流入側配管には、貯湯タンク２０の底部配管２２から導出される入水温度を検出する温度センサ２０Ｄが設けられている。また、上部循環用配管２４には、水用配管１２Ａから導出される出湯温度を検出する温度センサ２０Ｅが設けられている。
【００１９】
以下、本実施の形態によるヒートポンプ給湯装置の貯湯運転動作について説明する。
【００２０】
時刻が所定時刻になるか、または、貯湯タンク２０内の温度センサ２０Ａ、２０Ｂ、２０Ｃによって、貯湯タンク２０内の湯量が所定量以下となったことを検出すると、ヒートポンプ回路１０を動作させて貯湯運転を開始する。
【００２１】
ヒートポンプ回路１０では、圧縮機１１で圧縮された冷媒は、給湯用熱交換器１２で放熱し、メイン膨張弁１３Ａ及びキャピラリーチューブ１３Ｂで減圧された後、蒸発器１４で送風機１５により送られてくる空気から熱を吸収し、ガス状態で圧縮機１１に吸入される。
【００２２】
一方、流体循環ポンプ２３の運転により、貯湯タンク２０内の水は、底部配管２２を通って水用配管１２Ａに導かれ、水用配管１２Ａで加熱された温水は、上部循環用配管２４を通って貯湯タンク２０に戻される。
【００２３】
圧縮機１１での能力制御及び膨張弁１３での開度制御は、温度センサ１０Ｂで検出される冷媒吐出冷媒温度が、あらかじめ設定された温度を維持するように制御される。
【００２４】
次に、図２を用いて本実施の形態による配管長が所定の長さ以上であると判定された場合、所定の長さ以下で流体循環ポンプを運転させる固定流量を一定の割合で増加させた流体循環ポンプの運転について説明する。
【００２５】
図２は、本実施の形態による固定流量の増加方法を示したフローチャートである。
【００２６】
自動配管長判定（Ｓ４１）により判定された配管長の長さが、所定の長さ以上かどうか判定（Ｓ４２）し、所定の長さ未満であると判定された場合は固定流量Ｘで（Ｓ４２）、所定の長さ以上であると判定された場合は固定流量Ｘに一定の割合で増加させた固定流量Ｘ×（１＋α）（Ｓ４３）を流体循環ポンプの流量として決定（Ｓ４５）する。
【００２７】
そして、流体循環ポンプの固定流量増加運転を、圧縮機が起動する前、又は圧縮機が起動直後、又は圧縮機が停止した後、又は除霜制御中、又は凍結予防制御中のいずれか１つ又は２つ以上の場合に行うことで、製品としての動作停止などを防止することができ、設置状況に左右されることなく製品を提供することが可能となる。
【００２８】
なお、本実施の形態では、貯湯タンクを有する場合で説明したが、給湯用熱交換器で加熱したお湯をそのまま出湯する瞬間湯沸かし式のヒートポンプ給湯装置であってもよい。
【００２９】
また、本実施の形態によるヒートポンプ回路１０は、二酸化炭素を冷媒として用い、高
圧側では臨界圧を越える状態で運転することが好ましい。
【００３０】
また、本実施の形態では流体循環ポンプ２３は、貯湯タンクユニット内に配設されているが、これに限定されることはなく、ヒートポンプユニット側に配設していてもよい。
【産業上の利用可能性】
【００３１】
以上のように、本発明は、ヒートポンプ給湯装置に適している。
【符号の説明】
【００３２】
１０  ヒートポンプ回路
１１  圧縮機
１２  給湯用熱交換器
１３Ａ  メイン膨張弁
１４  蒸発器
２０  貯湯タンク
２３  流体循環ポンプ
２６  自動配管長判定手段
【図１】
2011075200.tif 000003
【図２】
2011075200.tif 000004